(57)【要約】【課題】  視聴中の放送局と異なる放送局のサービス情報を自動的に取得する。【解決手段】  記録再生装置１において、地上デジタルチューナー２１は、複数の放送局から送信される電波を選択的に受信して放送データＴＳ２を出力する。スキャン期間開始検知部２７がコマーシャルの開始を検知してスキャン期間開始フラグＳｆをアクティブにすると、ＣＰＵ５０はコマーシャル期間の一部又は全部をスキャン期間として特定する。スキャン期間において、地上デジタルチューナー２１は、視聴可能な他の放送局を順次選局し、スキャン期間が終了すると視聴中の放送局を選局する。これにより、他の放送局のサービスデータＳＩ２が取得され、情報記録媒体３１に記録される。【選択図】      図１
2006332832.tif 000002
【特許請求の範囲】
【請求項１】
複数の放送局の各々から番組案内を示すサービス情報を含む放送信号を受信して前記複数の放送局の放送予定を示す番組案内表を出力する番組案内生成装置において、
前記複数の放送局から送信される電波を選択的に受信して前記放送信号を出力する受信手段と、
視聴中の放送局からの前記放送信号のカテゴリーが所定のカテゴリーとなる期間の一部又は全部を監視期間として特定する特定手段と、
前記特定手段によって特定された前記監視期間において、視聴可能な他の放送局を選局するように前記受信手段を制御し、前記監視期間が終了すると前記視聴中の放送局を選局するように前記受信手段を制御する制御手段と、
前記受信手段から出力される前記放送信号から前記サービス情報を抽出する抽出手段と、
前記抽出手段によって抽出された前記サービス情報を記憶するサービス情報記憶手段と、
前記サービス情報記憶手段から前記複数の放送局の前記サービス情報を読み出して、読み出した前記サービス情報を加工して前記番組案内表を生成する番組案内表生成手段と、
を備えることを特徴とする番組案内生成装置。
【請求項２】
前記所定のカテゴリーはコマーシャルであり、前記特定手段は、前記放送信号のカテゴリーがコマーシャルとなる期間の一部又は全部を前記監視期間として特定することを特徴とする請求項１に記載の番組案内生成装置。
【請求項３】
前記放送信号は、音声信号の形式を指定する指定情報を含み、
前記特定手段は、
前記放送信号に含まれる前記指定情報が指定する形式が変化したことを検知して前記監視期間を開始するスキャン開始手段と、
前記監視期間の開始から所定時間が経過すると前記監視期間を終了させるスキャン終了手段とを備える、
ことを特徴とする請求項２に記載の番組案内生成装置。
【請求項４】
前記特定手段は、前記サービス情報記憶手段に記憶されている前記視聴中の放送局の前記サービス情報を参照して、番組が切り替わる時刻を特定し、特定した時刻を含む所定時間の期間を前記監視期間として特定することを特徴とする請求項２に記載の番組案内生成装置。
【請求項５】
前記サービス情報は、前記放送信号の番組のジャンルを示すジャンル情報を含み、
利用者が予め視聴しないジャンルを指定した非視聴ジャンル情報を記憶するジャンル情報記憶手段を備え、
前記特定手段は、前記サービス情報記憶手段に記憶されている前記視聴中の放送局の前記サービス情報を参照して、前記非視聴ジャンル情報の指定するジャンルの番組についてその期間の一部又は全部を前記監視期間として特定する、
ことを特徴とする請求項１に記載の番組案内生成装置。
【請求項６】
前記監視期間において予め定められた画像の映像信号を出力する出力手段を備えることを特徴とする請求項１乃至５のうちいずれか１項に記載の番組案内生成装置。
【請求項７】
前記受信手段から出力される前記放送信号から分離した映像信号を情報記録媒体に記録する記録手段を備え、
前記制御手段は、前記記録手段の記録中において、前記特定手段によって前記監視期間が特定されても選局を前記視聴中の放送局のまま維持するように前記受信手段を制御する、
ことを特徴とする請求項１乃至６のうちいずれか１項に記載の番組案内生成装置。
【請求項８】
受信手段を用いて複数の放送局の各々から番組案内を示すサービス情報を含む放送信号を受信して前記複数の放送局の放送予定を示す番組案内表を生成する番組案内表の生成方法において、
視聴中の放送局からの前記放送信号のカテゴリーが所定のカテゴリーとなる期間の一部又は全部を監視期間として特定し、
前記監視期間において、視聴可能な他の放送局を選局するように前記受信手段を制御し、
前記監視期間が終了すると前記視聴中の放送局を選局するように前記受信手段を制御し、
受信した前記放送信号から前記サービス情報を抽出し、
抽出した前記サービス情報を記憶し、
記憶した前記複数の放送局の前記サービス情報を読み出し、
読み出した前記サービス情報を加工して前記番組案内表を生成する、
ことを特徴とする番組案内表の生成方法。
【発明の詳細な説明】
【技術分野】
【０００１】
本発明は、電子的な番組案内表を生成する番組案内生成装置等に関する。
【背景技術】
【０００２】
近年のデジタルテレビ放送では、ＥＰＧ（Electronic Program Guide）と呼ばれる電子番組ガイドが番組と共に放送されている。ＥＰＧはＳＩ(Service Information)と呼ばれる情報で構成されている。ＳＩ情報は、放送規格の一つであるＡＲＩＢ  ＳＴＤ−Ｂ１０で規定されている。ＳＩ情報はＥＩＴ(Event Information Table)を含む。ＥＩＴは、番組のタイトル、放送日時、放送内容等の情報を示す。受信装置はこのＳＩ情報を受信することによってＥＰＧを生成する。これにより利用者に電子番組表を提供することが可能となる。
デジタルテレビ放送には、衛星を用いたＢＳ／ＣＳデジタル放送の他に地上デジタル放送が運用されている。ＢＳ／ＣＳデジタル放送においては全国共通の放送が実施されるため、ある放送局の放送信号の中には、自局のＳＩ情報の他に他局のＳＩ情報を含んだ全局ＳＩ情報が挿入されている。一方、地上デジタル放送は、地上波を用いて運用されるため、地域毎に受信可能な放送局が相違する。このため、自局のみの個別ＳＩ情報が放送信号に重畳されている。
【０００３】
従って、ＢＳ／ＣＳデジタル放送では、選局をある放送局に固定にしていても他の放送局のＳＩ情報を得ることができる。しかしながら、地上デジタル放送では個別ＳＩ情報の送信のみであるから、全チャンネルの番組ガイドを表示するのであれば、選局を他の放送局に切り替える必要がある。この場合、番組を途切れなく表示することはできない。特許文献１には、他局の番組ガイドを表示するために、利用者が所定キーを操作した場合に選局を他局に移して個別ＳＩ情報を取得する技術が開示されている。
【特許文献１】特開平２００５−３３６０２号公報（請求項１）
【発明の開示】
【発明が解決しようとする課題】
【０００４】
しかしながら、従来の技術によれば、利用者が所定キーを操作しなければ他局の個別ＳＩ情報を取得できず、操作が煩雑であるといった問題があった。例えば、リモコンで指示を入力する場合には、手元にリモコンがなければリモコンを探す必要があり、また、受信装置のキーを操作する必要がある場合、受信装置から離れた場所で視聴していると利用者が設置場所まで移動してキーを操作する必要があった。
本発明が解決しようとする課題は、従来の技術によって生じる操作の煩雑さといった問題が一例として挙げられる。
【課題を解決するための手段】
【０００５】
請求項１に記載の発明は、複数の放送局から送出される電波を受信して、番組案内を示すサービス情報を含む放送信号を出力する受信手段と、前記放送信号が所定のカテゴリーを示す期間の一部又は全部を監視期間として特定する特定手段と、前記特定手段によって特定された前記監視期間において、同調する周波数を切り替えて視聴可能な他の放送局を選局するように前記受信手段を制御し、前記監視期間が終了すると元の放送局を選局するように前記受信手段を制御する制御手段と、前記受信手段から出力される前記放送信号から前記サービス情報を抽出する抽出手段と、前記抽出手段によって抽出された前記サービス情報を記憶するサービス情報記憶手段と、前記サービス情報記憶手段に記憶された前記サービス情報を読み出して、前記複数の放送局の放送予定を示す番組案内表を出力する出力手段とを備えることを特徴とする。
【０００６】
請求項８に記載の発明は、受信手段を用いて複数の放送局の各々から番組案内を示すサービス情報を含む放送信号を受信して前記複数の放送局の放送予定を示す番組案内表を生成する番組案内表の生成方法において、視聴中の放送局からの前記放送信号のカテゴリーが所定のカテゴリーとなる期間の一部又は全部を監視期間として特定し、前記監視期間において、視聴可能な他の放送局を選局するように前記受信手段を制御し、前記監視期間が終了すると前記視聴中の放送局を選局するように前記受信手段を制御し、受信した前記放送信号から前記サービス情報を抽出し、抽出した前記サービス情報を記憶し、記憶した前記複数の放送局の前記サービス情報を読み出し、読み出した前記サービス情報を加工して前記番組案内表を生成することを特徴とする。
【発明を実施するための最良の形態】
【０００７】
本発明に好適な一実施形態を以下説明する。本発明の一実施形態の番組案内生成装置は、複数の放送局の各々から番組案内を示すサービス情報を含む放送信号を受信して複数の放送局の放送予定を示す番組案内表を出力する。この番組案内生成装置は、複数の放送局から送信される電波を選択的に受信して放送信号を出力する受信手段と、視聴中の放送局からの前記放送信号のカテゴリーが所定のカテゴリーとなる期間の一部又は全部を監視期間として特定する特定手段と、特定手段によって特定された監視期間において、視聴可能な他の放送局を選局するように受信手段を制御し、監視期間が終了すると前記視聴中の放送局を選局するように前記受信手段を制御する制御手段と、受信手段から出力される前記放送信号から前記サービス情報を抽出する抽出手段と、抽出手段によって抽出された前記サービス情報を記憶するサービス情報記憶手段と、サービス情報記憶手段から前記複数の放送局の前記サービス情報を読み出して、読み出した前記サービス情報を加工して番組案内表を生成する番組案内表生成手段とを備える。
【０００８】
複数の放送局は、例えば、地上デジタル放送局であり、放送信号を変調して電波として送信する。この放送信号には、映像信号、音声信号、及びサービス情報が多重化してある。サービス情報は、番組のタイトル、放送日時、放送内容を示す番組案内の他に、放送事業者を識別する情報や現在の時刻を示す情報等を含み得る。受信手段は電波を受信して復調する機能を有し、受信チャネルを切り替えることによって各放送局の放送信号を選択的に出力する。どの放送局を選局するかは制御手段によって制御される。制御手段は、監視期間おいて、受信チャネルを切り替えて視聴可能な他の放送局を選局し、監視期間が終了すると視聴中の放送局を選局する。即ち、監視期間においては、視聴中の放送局から他の放送局にチューニングされるため、受信手段は他の放送局からの放送信号を出力する。ここで、監視期間においては、一又は複数の他の放送局を選局する。監視の対象が複数の放送局に及ぶ場合、制御手段は、視聴可能な他の放送局を順次選局するように受信手段を制御する。この場合、監視期間は受信チャネルをスキャンするスキャン期間として機能する。      
【０００９】
受信手段によって放送信号が受信されると、抽出手段は放送信号に含まれるサービス情報を抽出する。サービス情報が時分割で放送信号に多重されている場合には、所定のタイミングでサービス情報を放送信号から分離する。受信チャネルを固定したままでは視聴中の放送局のサービス情報しか得ることができないが、監視期間においては、他の放送局を順次選局するように受信手段が制御されるので、視聴可能な全ての放送局のサービス情報を得ることができる。このようにして得られたサービス情報はサービス情報記憶手段によって記憶される。番組案内表生成手段は、記憶されたサービス情報に基づいて視聴可能な複数の放送局の放送予定を示す番組案内表を出力する。特定手段は、視聴中の放送局からの放送信号のカテゴリーが所定のカテゴリーとなる期間の一部又は全部を監視期間として特定する。カテゴリーとは、放送信号の属性を意味し、利用者の視聴を妨げないように所定のカテゴリーに限定される。
【００１０】
このようなカテゴリーとしては、例えば、コマーシャルがある。この場合、特定手段は、放送信号のカテゴリーがコマーシャルとなる期間の一部又は全部を監視期間として特定する。コマーシャルの期間は、番組本来のコンテンツとは異なるので、そのような期間に受信チャネルを順次変更しても利用者の視聴を妨げない。そこで、コマーシャルの期間に受信チャネルのスキャンを実行して、他の放送局のサービス情報を取得したのである。これにより、利用者があるチャネルを視聴中に何らかのキーを操作してスキャン期間を指定しなくても、自動的に他の放送局のサービス情報を収集して番組案内表の表示に備えることが可能となる。
【００１１】
より具体的には、放送信号が音声信号の形式を指定する指定情報を含む場合がある。音声信号の形式とは、例えば、２ヶ国語放送、ステレオ放送、及びモノラル放送等があり、それらの区別を示す音声多重フラグが指定情報に含まれる。この場合、特定手段は、放送信号に含まれる指定情報が指定する形式が変化したことを検知して監視期間を開始する監視開始手段と、監視期間の開始から所定時間が経過すると監視期間を終了させる監視終了手段とを備えることが好ましい。映画やニュース等の番組は２ヶ国語で放送されることが多く、コマーシャルはステレオで放送されることが多い。従って、音声信号の形式の変化を捉えて、通常の番組からコマーシャルへ切り替わった時点を特定することができる。監視期間が開始されると視聴中の放送局から他の放送局に受信チャネルが切り替わる。このため、受信手段から出力される放送信号を参照しても、視聴中の放送局のコマーシャルが終了したか否かを判定することはできない。一方、１つのコマーシャルは１０秒、２０秒といった時間単位で構成されており、複数のコマーシャルが連続して放送されるのが一般的である。そこで、特定手段は、コマーシャルの時間として見込まれる所定時間を余裕を持って予め設定しておき、監視期間の開始から所定時間が経過すると監視期間を終了させる。これによって、正確にコマーシャルの期間が分からなくても受信チャネルを順次切り替えて他の放送局のサービス情報を収集することができる。
【００１２】
また、特定手段は、サービス情報記憶手段に記憶されている視聴中の放送局のサービス情報を参照して、番組が切り替わる時刻を特定し、特定した時刻を含む所定時間の期間を監視期間として特定してもよい。コマーシャルは、番組の切り替わりで放送されるのが一般的である。視聴中の放送局についてはサービス情報を記憶してあるので、特定手段は、そのサービス情報を用いて番組の切り替わり時刻を特定する。ここで、監視期間の設定は特定した時刻を含む所定時間である。この期間は、番組の切り替わり前、番組の切り替わり後、あるいは番組の切り替わり前から番組の切り替わり後に亘る期間であってもよい。この例によれば、視聴中の放送信号から抽出したサービス情報を用いて将来の番組の切り替わりを特定し、監視期間を設定したので、音声信号の形式を検知しなくてもコマーシャルの期間の一部又は全部を監視期間に設定することができる。
なお、視聴中の番組のジャンルに応じて監視期間を番組の切り替わり前、番組の切り替わり後、あるいは番組の切り替わり前から番組の切り替わり後に亘る期間に設定してもよい。例えば、番組のジャンルがスポーツである場合には、放送時間が延長されることがある。そのような場合には、終了後のコマーシャルが省略されることが多いので、スポーツのジャンルについては番組の切り替わり後の所定時間を監視期間として設定すればよい。
【００１３】
ところで、利用者によっては、ニュースは視聴しない、あるいは、ドラマは視聴しないといった好みがある。利用者が視聴しないジャンルを放送する期間については、受信チャネルを変更しても利用者の視聴の妨げとならない。そこで、サービス情報が、放送信号の番組のジャンルを示すジャンル情報を含む場合には、上述した番組案内表生成装置において、利用者が予め視聴しないジャンルを指定した非視聴ジャンル情報を記憶するジャンル情報記憶手段を備え、特定手段は、サービス情報記憶手段に記憶されている視聴中の放送局のサービス情報を参照して、非視聴ジャンル情報の指定するジャンルの番組についてその期間の一部又は全部を監視期間として特定してもよい。この場合は、監視期間の開始をリアルタイムで監視する必要がなく、既に取得したサービス情報に基づいて監視期間を特定することができる。しかも、非視聴のジャンルは利用者が予め指定したものであるから、利用者の視聴を妨げることもない。
【００１４】
また、上述した番組案内生成装置において、監視期間において予め定められた画像の映像信号を出力する出力手段を備えることが好ましい。監視期間においては、受信チャネルが切り替わるので、出力される画像が切り替わることになり、利用者にとっては煩わしい。そこで、監視期間において予め定められた画像を表示させることによって、画像の切り替わりを固定としている。この場合、画像は静止画であってもよいし動画であってもよい。静止画の場合には「情報取得中」などメッセージを提示するものであってもよいし、あるいは、スキャン期間の直前のキャプチャー画像であってもよい。また、動画の場合は所定のアニメーションであってもよい。
【００１５】
さらに、上述した番組案内生成装置において、受信手段から出力される放送信号から分離した映像信号を情報記録媒体に記録する記録手段を備える場合には、上述した制御手段は、記録手段の記録中において、特定手段によって監視期間が特定されても選局を視聴中の放送局のまま維持するように受信手段を制御することが好ましい。監視期間は、一定の基準に従って利用者が視聴を望まないと見込まれる期間の一部又は全部である。このため、見込みがはずれる場合も想定し得る。放送の記録は視聴者が重要であると判断した番組であるのが通常であるので、そのような場合には、監視期間であっても視聴中の放送局を維持するように制御した。これにより、利用者が所望する番組を確実に記録することが可能となる。
【００１６】
また、上述した実施形態は、受信手段を用いて複数の放送局の各々から番組案内を示すサービス情報を含む放送信号を受信して複数の放送局の放送予定を示す番組案内表の生成方法として把握することができる。この番組案内表の生成方法では、１）視聴中の放送局からの放送信号のカテゴリーが所定のカテゴリーとなる期間の一部又は全部を監視期間として特定し、２）監視期間において、視聴可能な他の放送局を選局するように受信手段を制御し、３）監視期間が終了すると視聴中の放送局を選局するように受信手段を制御し、４）受信した放送信号からサービス情報を抽出し、５）抽出した前記サービス情報を記憶し、６）記憶した複数の放送局のサービス情報を読み出し、７）読み出したサービス情報を加工して番組案内表を生成する。これにより、利用者があるチャネルを視聴中に何らかのキーを操作してスキャン期間を指定しなくても、自動的に他の放送局のサービス情報を収集して番組案内表の表示に備えることが可能となる。
【実施例】
【００１７】
次に、実施例を具体的に説明する。なお、以下の実施例においては、番組案内表を出力可能であって映像信号及び音声信号を記録再生する記録再生装置を番組案内生成装置の一例として説明するが、本発明の適用される範囲はこの態様に限定されない。
【００１８】
＜第１実施例＞
図１に第１実施例に係る記録再生装置１の構成を示す。衛星から送信されたＢＳ／ＣＳ放送の放送波がアンテナ１０によって受信されＢＳ／ＣＳデジタルチューナー１１に供給される。この放送波には、番組の映像情報及び音声情報の他に、信号の伝送に付帯する付帯情報が含まれる。さらに、付帯情報には、信号を再生するために必要な情報と信号を利用するのに有益な情報とが含まれる。信号を再生するために必要な情報としては、音声信号の形式を指定する指定情報がある。音声の形式とは、２ヶ国語放送、ステレオ放送、モノラル放送等であって、これらを識別する音声多重フラグが指定情報に該当する。また、信号を利用するのに有益な情報には番組案内表（以下、ＥＰＧと称する。）の表示のために使用される全局のサービス情報が含まれている。サービス情報は、番組のタイトル、放送日時、放送内容を示す番組案内の他に、放送事業者コード、現在の時刻等を示す。ＢＳ／ＣＳデジタルチューナー１１は、ＣＰＵ５０の制御の下、利用者の選択した受信チャネルに同調して復調処理を施す。復調処理では、データフレームの再構成、誤り訂正、及びデスクランブル等の必要な処理を実行して、ＭＰＥＧ２のトランスポートストリーム（ＴＳ:TransportStream）形式の放送データＴＳ１を生成する。
【００１９】
また、地上デジタル放送局から送信された放送波は、アンテナ２０によって受信され地上デジタルチューナー２１に供給される。地上デジタルチューナー２１はＢＳ／ＣＳデジタルチューナー１１と同様の処理を実行し、ＭＰＥＧ２のトランスポートストリーム形式の放送データＴＳ２を生成する。なお、地上デジタル放送局から送信される放送波には、ＢＳ／ＣＳデジタル放送と同様に付帯情報が含まれている。但し、地上デジタル放送では各放送局が自局のサービス情報のみを送信するので、放送データＴＳ２には視聴中の放送局のサービス情報のみが重畳されており、他の放送局のサービス情報は含まれていない。
【００２０】
ＣＰＵ５０は、記録再生装置１の各構成部分を制御する制御中枢である。ＲＡＭ６０はＣＰＵ５０の作業領域として機能し、ＲＯＭ７０にはＣＰＵ５０を制御するプログラムや所定の画像データが記憶されている。利用者はリモコン７０を操作して視聴する放送局の選択、番組案内表の表示指示、あるいは予約録画の指示を入力する。リモコン送受信部７１はリモコン７０との通信を行うインターフェースであって、赤外線を用いてリモコン７０と通信を行う。
【００２１】
放送データＴＳ１は第１処理ユニットＵ１に供給され、放送データＴＳ２は第２処理ユニットＵ２に供給される。第１処理ユニットＵ１と第２処理ユニットＵ２は同様に構成されている。ここでは、第２処理ユニットＵ２について説明する。放送データＴＳ２がデマルチプレクサ２２に供給されると、デマルチプレクサ２２は放送データＴＳ２から圧縮音声データ、圧縮映像データ、及び付帯データＤinfを分離する。圧縮音声データ、圧縮映像データ、及び付帯データＤinfは、放送波に含まれる音声情報、映像情報及び付帯情報に各々対応している。圧縮音声データはＭＰＥＧ２−ＡＡＣ形式であり、圧縮映像データはＭＰＥＧ２−Video形式である。オーディオデコーダ２３は入力された圧縮音声データを復号化して音声データＤａ２を生成する。ビデオデコーダ２４は、圧縮映像データを復号して映像データＤｖ２を生成する。ＳＩフィルタ２５は付帯データＤinfからサービス情報を分離して得たサービスデータＳＩ２を生成する。ここで、デマルチプレクサ２２とＳＩフィルタ２５は、放送データＴＳ２からサービスデータＳＩ２を抽出する手段として機能する。
【００２２】
このサービスデータＳＩ２は記録再生制御部３０を介して情報記録媒体３１に記憶される。情報記録媒体３１は、データの再書き込み及び読み出しが可能なハードディスクやＤＶＤ（Digital Versatile Disc）等によって構成されている。情報記録媒体３１に記録されたサービスデータＳＩ２は必要に応じて読み出され、第２処理ユニットＵ２のＥＰＧ処理部２６に供給される。ＥＰＧ処理部２６は、読み出されたサービスデータＳＩ２に基づいて番組案内表データＥＰＧ２を生成し、これを出力制御部４０に供給する。なお、情報記録媒体３１には、サービスデータＳＩ２の他に、第１処理ユニットＵ１から供給される音声データＤａ１、映像データＤｖ１、及びサービスデータＳＩ１、第２処理ユニットＵ２から供給される音声データＤａ２及び映像データＤｖ２、並びに予約録画データが記憶される。
【００２３】
ここで、予約録画データは予約録画を指定するデータであって、受信チャネル、録画開始時刻及び録画終了時刻を示す情報を有する。スポーツ中継などで時間が延長された場合、その後の番組編成に変更が生じることがある。このような場合には、放送局から送信されるサービス情報が更新されるが、更新されたサービス情報は放送されるので、サービスデータＳＩ１及びＳＩ２が更新される。ＣＰＵ５０は、サービスデータＳＩ１及びＳＩ２の更新に伴って予約録画データを更新する。これにより、番組編成に変更が生じた場合でも利用者が望む番組を録画することができる。従って、最新のサービス情報を取得することは、所望の番組を確実に録画する観点から重要である。
【００２４】
次に、出力制御部４０は、第１処理ユニットＵ１から供給される音声データＤａ１、映像データＤｖ１、及び番組案内表データＥＰＧ１、第２処理ユニットＵ２から供給される音声データＤａ２、映像データＤｖ２、及び番組案内表データＥＰＧ２、並びにハードディスク等の情報記録媒体３１から再生された再生音声データＤｐａ及び映像データＤｐｖを、ＣＰＵ５０の制御の下、選択して出力する。
【００２５】
上述したように地上デジタル放送においては、各放送局が自局のサービス情報しか送出しないので、視聴可能な他の放送局のサービス情報を取得するためには、地上デジタルチューナー２１の受信チャネルをスキャンして視聴可能な他の放送局のサービス情報を取得する必要がある。ここで、受信チャネルを順次切り替えるスキャン期間は、利用者の視聴を妨げないように設定する必要がある。本実施例ではスキャン期間としてコマーシャルの一部又は全部を設定する。このため、コマーシャルの期間を特定する必要がある。ここで、スキャン期間は、他の放送局のサービス情報を監視する監視期間として機能する。
【００２６】
外国の映画等の放送は２ヶ国語で行われるのが通常である。一方、コマーシャルはステレオ放送等で行われる。従って、付帯データＤinfに含まれる指定データＡＩ２（指定情報に相当）の示す音声の形式が変化することを検知すれば、コマーシャルの開始を検知することができる。スキャン期間開始検知部２７は、スキャン期間の開始を検知する機能を有する。具体的には、付帯データＤinfを監視し、指定データの示す音声の形式が２ヶ国語放送から他の形式に変化したこと検知するとスキャン開始フラグＳｆをアクティブにする。
【００２７】
ところで、スキャン期間においては、地上デジタルチューナー２１の受信チャネルが視聴中の放送局から順次切り替わる。従って、付帯データＤinfを監視して指定データＡＩ２の示す音声の形式が２ヶ国語以外から２ヶ国語に変化したことをもってコマーシャルの終了とすることはできない。一方、コマーシャルは、１０秒、２０秒といった時間単位で構成されており、複数のコマーシャルが連続して放送されるのが一般的である。そこで、ＣＰＵ５０は、コマーシャルの時間として見込まれる所定時間を余裕を持って予め設定しておき、スキャン期間の開始から所定時間が経過するとスキャン期間を終了させる。即ち、ＣＰＵ５０は、放送データＴＳ２のカテゴリーがコマーシャルとなる期間の一部又は全部をスキャン期間と特定する機能と、スキャン期間において視聴可能な他の放送局を選局するように地上デジタルチューナー２１を制御し、スキャン期間が終了すると視聴中の放送局を選局するように地上デジタルチューナー２１を制御する機能を有する。
【００２８】
次に、ＣＰＵ５０が地上デジタル放送局のサービス情報を取得する動作について説明する。図２は、サービス情報所得処理の内容を示すフローチャートである。ＣＰＵ５０は、スキャン期間が開始されたか否かを判定する（ステップＳ１）。具体的には、スキャン期間開始部２７から供給されるスキャン開始フラグＳｆがアクティブになるとスキャン期間の開始と判定し、それ以外の場合はスキャン期間が開始されないと判定する。スキャン期間が開始されないと判定された場合、ＣＰＵ５０は処理をステップＳ９に進めて、視聴中の放送局のサービス情報を取得するように制御する。即ち、地上デジタルチューナー２１の受信チャネルを維持するよう制御する。これにより、ＳＩフィルタ２５から視聴中の放送局のサービスデータＳＩ２が出力される。次に、ＣＰＵ５０は、視聴中の放送局のサービス情報を記録するように制御する（ステップＳ１０）。具体的には、記録再生制御部３０を制御してサービスデータＳＩ２を情報記録媒体３１に記録させる。
【００２９】
一方、ステップＳ１の判定条件が肯定され、スキャン期間の開始と判定された場合、ＣＰＵ５０は、スキャン期間の終了を設定する（ステップＳ２）。この場合、コマーシャル期間として見込まれる所定時間をタイマーにセットして計時を開始する。この後、ＣＰＵ５０は、サービス情報を取得すべき地上デジタル放送局を特定する（ステップＳ３）。図３は、地上デジタル放送局の特定処理の内容を示すフローチャートである。まず、ＣＰＵ５０は、全ての放送局についてサービス情報を取得したか否かを判定する（ステップＳ３０）。この際、ＣＰＵ５０は情報記録媒体３１からサービスデータＳＩ２を読み出して、視聴可能な放送局のうちサービス情報が記憶されていない放送局があるか否かを判定する。全ての放送局についてサービス情報の取得が終了している場合には、ＣＰＵ５０は取得時刻が最も古い放送局をサービス情報を取得すべき放送局として特定する（ステップＳ３１）。一方、サービス情報を取得していない放送局がある場合には、当該放送局をサービス情報を取得すべき放送局として特定する（ステップＳ３２）。全ての放送局についてサービス情報が取得されている場合に取得時刻が最も古い放送局を特定したのは、サービス情報が更新されている可能性が高いからである。即ち、スポーツ中継の延長や災害等の発生があると番組の編成が変更される場合ある。この実施例によれば、そのような場合に最新のサービス情報を取得してサービスデータＳＩ２を更新することが可能となる。
【００３０】
説明を図２に戻す。サービス情報を取得すべき放送局が特定されると、ＣＰＵ５０は特定した放送局にチューニングするように地上波デジタルチューナー２１を制御する（ステップＳ４）。これにより、特定した放送局のサービスデータＳＩ２がＳＩフィルタ２５から出力され、特定した放送局のサービス情報を取得することができる（ステップＳ５）。そして、ＣＰＵ５０は記録再生制御部３０を制御して取得したサービスデータＳＩ２を情報記録媒体３１に記録する（ステップＳ６）。
【００３１】
この後、ＣＰＵ５０は、スキャン期間が終了したか否かを判定する（ステップＳ７）。具体的には、ＣＰＵ５０はステップＳ２で設定したタイマーを参照して、終了時刻に達したか否かを判定する。
終了時刻に達しておらずスキャン期間が終了していないと判定された場合には、ＣＰＵ５０は処理をステップＳ３に戻し、ステップＳ３からステップＳ７までの処理を繰り返す。一方、終了時刻に達してスキャン期間が終了したと判定された場合には、ＣＰＵ５０は受信チャネルを視聴中の元の放送局に戻すように地上デジタルチューナー２１を制御する。
【００３２】
これにより、記録再生装置１は、視聴可能な各放送局のサービス情報を取得することができる。そして、利用者がリモコン７０を操作して番組案内表の表示を指示すると、ＣＰＵ５０はリモコン送受部７１を介して指示を検知し、番組案内表を表示するように制御を実行する。この制御によって以下の処理が実行される。第１に、記録再生制御部３０を制御して情報記録媒体３１からサービスデータＳＩ２を読み出す。第２に、読み出されたサービスデータＳＩ２がＥＰＧ処理部２６に供給され、サービスデータＳＩ２に基づいて番組案内表データＥＰＧ２が生成される。換言すれば、ＥＰＧ処理部２６は、情報記録媒体３１から複数の放送局のサービスデータＳＩ２を読み出して、読み出したサービスデータＳＩ２を加工して番組案内表データＥＰＧ２を生成する手段として機能する。第３に、出力制御部４０が番組案内表データＥＰＧ２を選択し、これをＤ／Ａ変換して得た映像信号を表示装置２に出力する。図４に表示装置２の画面に表示される番組案内表の一例を示す。番組案内表の第１領域Ｘ１には、視聴可能な地上デジタル放送局名が表示され、その第２領域Ｘ２には番組名が表示される。そして、利用者がリモコン７０を操作すると、デジタル放送局名及び番組名を選択できるようになっており、選択した番組の詳細な内容が第３領域Ｘ３に表示される。
【００３３】
以上、説明したように本実施例によれば、視聴中の放送のコマーシャル期間の一部又は全部をスキャン期間として特定し、スキャン期間において視聴可能な他の地上デジタル放送局を順次選局するように地上デジタルチューナー２１を制御し、スキャン期間が終了すると視聴中の地上デジタル放送局を選局するように地上デジタルチューナー２１を制御したので、自動的に他の地上デジタル放送局のサービス情報を取得して番組案内表の表示に備えることができる。従って、利用者が何らかの操作をしてスキャン期間を特定しなくてもよく、利便性が大幅に向上する。
【００３４】
＜第２実施例＞
第２実施例に係る記録再生装置１の構成は、スキャン期間開始検知部２７が省略されている点を除いて、図１に示す第１実施例の記録再生装置１と同様に構成されている。第２実施例の記録再生装置１において、ＣＰＵ５０は、情報記録媒体３１に記憶されている視聴中の地上デジタル放送局のサービスデータＳＩ２を参照して、番組が切り替わる時刻を特定し、特定した時刻を含む所定時間の期間をスキャン期間として特定する。即ち、上述した第１実施例で図２を用いて説明したサービス情報取得処理において、スキャン期間の開始の判定処理（ステップＳ１）とスキャン期間の終了設定処理（ステップＳ２）が相違する。
【００３５】
図５を参照して、具体的に説明する。この例では、時刻ｔ０から視聴を開始し、現在の時刻が時刻ｔ１であるとする。時刻ｔ０から時刻ｔ１までの期間において、視聴中の地上デジタル放送局のサービスデータＳＩ２が情報記録媒体３１に記録される。このサービスデータＳＩ２には番組１の終了時刻及び番組２の開始時刻である切り替わり時刻ｔｘが含まれる。ＣＰＵ５０は、情報記録媒体３１に記憶されたサービスデータＳＩ２を参照することによって切り替わり時刻ｔｘを取得する。そして、切り替わり時刻ｔｘを含む所定時間をスキャン期間として設定する。この場合、所定時間はコマーシャルの期間として見込まれる期間である。また、スキャン期間として、図５に示す期間Ｔｘ１、切り替わり時刻ｔｘがスキャン期間の終了となる期間Ｔｘ２、及び切り替わり時刻ｔｘがスキャン期間の開始となる期間Ｔｘ３のいずれであってもよい。ＣＰＵ５０は、スキャン期間を設定し、スキャン期間の開始の判定処理（図２示すステップＳ１）では、設定されたスキャン期間の開始時刻に達したか否かを判定し、スキャン期間の終了設定処理（図２のステップＳ２）では、設定された終了時刻とする。
【００３６】
第２実施例では、視聴中の放送データＴＳ２から抽出したサービスデータＳＩ２を用いて将来の番組の切り替わりを特定し、スキャン期間を設定したので、音声信号の形式を検知しなくてもコマーシャルの期間の一部又は全部をスキャン期間に設定することができる。
【００３７】
なお、視聴中の番組のジャンルに応じてスキャン期間を期間Ｔｘ１、期間Ｔｘ２、及び期間Ｔｘ３を選択してもよい。例えば、番組のジャンルがスポーツである場合には、放送時間が延長されることがある。そのような場合には、終了後のコマーシャルが省略されることが多いので、スポーツのジャンルについては番組の切り替わり後の所定時間をスキャン期間とする期間Ｔｘ３とすればよい。
【００３８】
＜第３実施例＞
第１及び第２実施例においては、利用者の視聴の妨げとならないようにコマーシャルの期間の一部又は全部をスキャン期間として設定した。これに対して、第３実施例は、番組のジャンルに着目し、利用者が視聴しないジャンルを予め非視聴ジャンルとして設定し、非視聴ジャンルの番組が放送される期間をスキャン期間に設定する。
【００３９】
第３実施例に係る記録再生装置１の構成は、スキャン期間開始検知部２７が省略されている点を除いて、図１に示す第１実施例の記録再生装置１と同様に構成されている。第３実施例の記録再生装置１において、ＣＰＵ５０は、情報記録媒体３１に記憶されている視聴中の地上デジタル放送局のサービスデータＳＩ２を参照して、非視聴ジャンルの番組を特定し、特定した番組が放送される期間の一部又は全部をスキャン期間として特定する。即ち、上述した第１実施例で図２を用いて説明したサービス情報取得処理において、スキャン期間の開始の判定処理（ステップＳ１）とスキャン期間の終了設定処理（ステップＳ２）が相違する。
【００４０】
図６を参照して、具体的に説明する。まず、初期設定において、利用者が視聴しないジャンルを設定する。この場合、ＣＰＵ５０は、非視聴のジャンルの候補を表示装置２に表示させる。そして、利用者が提示された候補の中から一又は複数のジャンルを選択すると、選択されたジャンルを示す非視聴ジャンルデータＤｊが情報記録媒体３１に記憶される。なを、この例では、ジャンル２が非視聴のジャンルとして設定されたものとする。また、時刻ｔ０から視聴を開始し、現在の時刻が時刻ｔ１であるとする。時刻ｔ０から時刻ｔ１までの期間において、視聴中の地上デジタル放送局のサービスデータＳＩ２が情報記録媒体３１に記録される。このサービスデータＳＩ２には番組１、番組２、番組３といった現在及び将来の番組の開始時刻と終了時刻が示されている。
【００４１】
ＣＰＵ５０は、情報記録媒体３１に記憶されたサービスデータＳＩ２と非視聴ジャンルデータＤｊを参照して、非視聴ジャンルデータＤｊの指定するジャンルの番組についてその期間の一部又は全部をスキャン期間として特定する。この例では、ジャンル２が非視聴ジャンルに設定されているので、番組２の開始時刻ｔ２から終了時刻ｔ３までをスキャン期間Ｔｙとして設定する。ＣＰＵ５０は、スキャン期間の開始の判定処理（図２示すステップＳ１）では、設定されたスキャン期間の開始時刻に達したか否かを判定し、スキャン期間の終了設定処理（図２のステップＳ２）では、設定された終了時刻とする。
【００４２】
第３実施例では、視聴中の放送データＴＳ２から抽出したサービスデータＳＩ２を用いて将来の番組のジャンルを検知し、検知したジャンルが利用者が予め視聴しないジャンルとして設定したものと一致する番組の一部又は全部をスキャン期間としたので、他の放送局のサービス情報を取得する期間を長くとることができる。また、非視聴ジャンルは利用者が予め選定したジャンルであるので、利用者の視聴を妨げるものではない。
【００４３】
＜変形例＞
本実施形態は上述した実施例に限定されるものではなく、例えば、以下の変形例が挙げられる。
（１）上述した実施例において、ＣＰＵ５０は、スキャン期間において予め定められた画像データを情報記録媒体３１から読み出して、その画像を表示させるように出力制御部４０を制御してもよい。スキャン期間においては、受信チャネルが切り替わるので、出力される画像が切り替わることになり、利用者にとっては煩わしい。そこで、スキャン期間において予め定められた画像を表示させることによって、画像の切り替わりを固定としている。この場合、「情報取得中」などメッセージを提示する静止画、スキャン期間の直前のキャプチャー画像、あるいは、情報取得中であることを利用者に知らせる所定のアニメーションであってもよい。
【００４４】
（２）また、上述した実施例及び変形例において、視聴中の放送を録画中であれば、ＣＰＵ５０はスキャン期間が特定されても地上デジタルチューナー２１の選局を視聴中の放送局のまま維持するように地上デジタルチューナー２１を制御してもよい。これにより、利用者が所望する番組を確実に記録することが可能となる。また、視聴中の放送を録画中に地上デジタルチューナー２１の受信チャネルを他の放送局に切り替えて他の放送局のサービス情報を取得する場合には、ＣＰＵ５０は、スキャン期間の直前で記録を停止させ、スキャン期間の終了後に記録を再開させるように記録再生制御部３０を制御することが好ましい。この場合には、スキャン期間中がポーズ状態となるので、受信チャネルのスキャンに伴う画像の切り替わりを除去して記録することが可能となる。
【図面の簡単な説明】
【００４５】
【図１】第１実施例の記録再生装置の構成を示すブロック図である。
【図２】地上デジタル放送局のサービス情報取得処理の処理内容を示すフローチャートである。
【図３】地上デジタル放送局の特定処理を説明するためのフローチャートである。
【図４】番組案内表の一例を示す説明図である。
【図５】第２実施例のスキャン期間を説明するための説明図である。
【図６】第３実施例のスキャン期間を説明するための説明図である。
【符号の説明】
【００４６】
２１…地上デジタルチューナー、２２…デマルチプレクサ、２５…ＳＩフィルタ、２６…ＥＰＧ処理部、２７…スキャン期間開始検知部、３０…記録再生制御部、３１…情報記録媒体、５０…ＣＰＵ、ＴＳ２…放送データ、ＳＩ２…サービスデータ、ＡＩ２…指定データ。
【図１】
2006332832.tif 000003
【図２】
2006332832.tif 000004
【図３】
2006332832.tif 000005
【図４】
2006332832.tif 000006
【図５】
2006332832.tif 000007
【図６】
2006332832.tif 000008